(57)【要約】【課題】  複数のＶＴＲ装置が接続された状態で番組の録画を行なった場合、どのＶＴＲ装置で、どの番組を予約したのか覚えておく必要があった。【解決手段】  予約を受けたＡＶシステムコントロール装置１は、番組の記録時に、番組の識別情報と記録を実行した情報記録再生装置の識別情報とを関連付けてメディアリスト１３ｂに登録する。そして、ユーザが録画した番組を視聴する場合には、ユーザはメディアリスト１３ｂを見ることにより、記録を行なった番組を選択することができる。【選択図】      図２
2005004958.tif 000002
【特許請求の範囲】
【請求項１】
ホームネットワークにて接続される複数の情報記録再生装置をＡＶシステムコントロール装置にて制御するＡＶシステム制御方法であって、
前記複数の情報記録再生装置における何れかの情報記録再生装置にて番組の記録を行う際に、前記番組の識別情報と記録を実行した情報記録再生装置の識別情報とを関連付けて関連情報として前記ＡＶシステムコントロール装置に蓄積しておき、
記録した番組の再生時には、前記複数の情報記録再生装置にて記録された記録番組の一覧を前記関連情報に基づき表示させ、前記一覧から選択される再生番組を記録した情報記録再生装置に対して再生制御信号を出力することにより、該再生番組の再生を実行するようにしたことを特徴とするＡＶシステム制御方法。
【請求項２】
ホームネットワークにて接続される複数の情報記録再生装置をＡＶシステムコントロール装置にて制御するＡＶシステム制御方法であって、
前記ＡＶシステムコントロール装置に対して入力された、番組の予約記録に関する予約情報を前記ＡＶシステムコントロール装置内に蓄積しておき、
前記予約情報に基づき、前記番組の番組開始時刻及び番組終了時刻に、この番組の記録を開始及び終了させ、
前記番組の識別情報と前記番組の記録を実行した情報記録再生装置の識別情報とを関連付けて関連情報として前記ＡＶシステムコントロール装置に蓄積しておき、
記録した番組の再生時には、前記複数の情報記録再生装置にて記録された記録番組の一覧を前記関連情報に基づき表示させ、前記一覧から選択される再生番組を記録した情報記録再生装置に対して再生制御信号を出力することにより、該再生番組の再生を実行するようにしたことを特徴とするＡＶシステム制御方法。
【請求項３】
前記ＡＶシステムコントロール装置から前記各情報記録再生装置に動作状態に係る問い合わせと共に記録可能な残量に係る問い合わせを行い、前記各情報記録再生装置からの応答に基づき前記番組を記録する情報記録再生装置を自動的に決定するようにしたことを特徴とする請求項１又は２に記載のＡＶシステム制御方法。
【請求項４】
ホームネットワークにて接続される複数の情報記録再生装置を制御するＡＶシステムコントロール装置であり、
前記複数の情報記録再生装置における何れかの情報記録再生装置にて番組の記録を行う際に、前記番組の識別情報と記録を行う情報記録再生装置の識別情報とを関連付けて関連情報として蓄積する蓄積手段と、
記録した番組の再生時に、前記複数の情報記録再生装置にて記録された記録番組の一覧を前記関連情報に基づき表示させる表示制御手段と、
前記一覧から選択される再生番組を記録した情報記録再生装置に対して再生制御信号を出力することにより、該再生番組の再生を実行させる再生装置制御手段と
を有することを特徴とするＡＶシステムコントロール装置。
【発明の詳細な説明】
【技術分野】
【０００１】
本発明は、複数のＡＶ（オーディオ・ビジュアル）情報記録再生装置の予約録画を行い、予約を行なったメディア（番組）をユーザに通知すると共に簡単に再生することのできるＡＶシステム制御方法、ＡＶシステムコントロール装置に関するものである。
【背景技術】
【０００２】
近年、ＶＴＲ（ビデオ・テープレコーダ）装置が普及しており、１台のテレビに複数のＶＴＲ装置が接続されている状況が多々見られている。
このように２台以上のＶＴＲを接続した場合には、ユーザはダビングや編集、同じ時間に放映されている異なる番組の録画などを行なうことができる。
しかしながら、複数のＡＶ情報記録再生装置を同時に取り扱うことは、操作が煩雑となり、ユーザの思い通りに動作させることが難しかった。
【０００３】
そこで、このようなシステムをより簡単に扱うために、ＶＴＲ装置等の複数のＡＶ情報記録再生装置を統合管理する制御装置が考えられ、製品化されている。
この従来の制御装置は、複数のＡＶ情報記録再生装置の入出力をまとめるだけでなく、コントロール端子等を利用して、各々のＡＶ情報記録再生装置の入出力の切り換え制御等を行なっている。そして、この制御装置を導入することにより、複数のＡＶ情報記録再生装置を統合して一つのシステムとし、より便利に、かつ簡単に操作をすることが可能になっていた。
【０００４】
また、特許文献１では、制御装置にタイマ機能を設けて、タイマ制御による複数のＡＶ情報記録再生装置の操作を可能にするシステムも構築されており、ユーザは電源のオン・オフや予約録画の操作等をタイマ機能を利用して行うことができるようになった。
【特許文献１】特開平７−１４５８３号公報
【発明の開示】
【発明が解決しようとする課題】
【０００５】
しかし、上記のような従来の制御装置によるシステムでは、ユーザが予約録画を行なった場合、どのＶＴＲ装置で、どの番組を予約したのか覚えておく必要があった。もし、これを忘れた場合、順に各ＶＴＲ装置で巻き戻し・再生を行って、見たい番組がどこに記録されているかを探さなければならなかった。さらに、同じＶＴＲ装置で複数の番組を録画している場合、その録画した順番も覚えておかなければならず、探すのがより一層困難であった。これはユーザにとって非常に面倒な作業であると共に、時間のかかる作業であった。
【０００６】
また、ユーザが予約を行なう際には、複数あるＶＴＲ装置の中から録画を行なうＶＴＲ装置を選択しなければならない。しかし、複数の番組を予約録画したい場合などでは、ユーザが磁気テープ（記録媒体）の録画可能時間を計算しながら複数のＶＴＲ装置に予約内容を割り振らなければならなかった。この時、録画開始時刻が重なったり、ある番組の録画中に他の番組の録画開始時刻が来る場合などは、さらに複雑なものとなっていた。
【０００７】
そこで、本発明は、ユーザに対して、録画した番組を通知をする機能と、録画を行なうＶＴＲを自動的に選択する機能を設けたＡＶシステムコントロール装置を提供することにより、上記課題を解決することを目的とする。
【課題を解決するための手段】
【０００８】
上記目的を達成するための手段として、以下に示すＡＶシステム制御方法及びＡＶシステムコントロール装置を提供しようとするものである。
【０００９】
１．ホームネットワークにて接続される複数の情報記録再生装置をＡＶシステムコントロール装置にて制御するＡＶシステム制御方法であって、前記複数の情報記録再生装置における何れかの情報記録再生装置にて番組の記録を行う際に、前記番組の識別情報と記録を実行した情報記録再生装置の識別情報とを関連付けて関連情報として前記ＡＶシステムコントロール装置に蓄積しておき、記録した番組の再生時には、前記複数の情報記録再生装置にて記録された記録番組の一覧を前記関連情報に基づき表示させ、前記一覧から選択される再生番組を記録した情報記録再生装置に対して再生制御信号を出力することにより、該再生番組の再生を実行するようにしたことを特徴とするＡＶシステム制御方法。
【００１０】
２．ホームネットワークにて接続される複数の情報記録再生装置をＡＶシステムコントロール装置にて制御するＡＶシステム制御方法であって、前記ＡＶシステムコントロール装置に対して入力された、番組の予約記録に関する予約情報を前記ＡＶシステムコントロール装置内に蓄積しておき、前記予約情報に基づき、前記番組の番組開始時刻及び番組終了時刻に、この番組の記録を開始及び終了させ、前記番組の識別情報と前記番組の記録を実行した情報記録再生装置の識別情報とを関連付けて関連情報として前記ＡＶシステムコントロール装置に蓄積しておき、記録した番組の再生時には、前記複数の情報記録再生装置にて記録された記録番組の一覧を前記関連情報に基づき表示させ、前記一覧から選択される再生番組を記録した情報記録再生装置に対して再生制御信号を出力することにより、該再生番組の再生を実行するようにしたことを特徴とするＡＶシステム制御方法。
【００１１】
３．上記ＡＶシステム制御方法であって、前記ＡＶシステムコントロール装置から前記各情報記録再生装置に動作状態に係る問い合わせと共に記録可能な残量に係る問い合わせを行い、前記各情報記録再生装置からの応答に基づき前記番組を記録する情報記録再生装置を自動的に決定するようにしたことを特徴とするＡＶシステム制御方法。
【００１２】
４．ホームネットワークにて接続される複数の情報記録再生装置を制御するＡＶシステムコントロール装置であり、前記複数の情報記録再生装置における何れかの情報記録再生装置にて番組の記録を行う際に、前記番組の識別情報と記録を行う情報記録再生装置の識別情報とを関連付けて関連情報として蓄積する蓄積手段と、記録した番組の再生時に、前記複数の情報記録再生装置にて記録された記録番組の一覧を前記関連情報に基づき表示させる表示制御手段と、前記一覧から選択される再生番組を記録した情報記録再生装置に対して再生制御信号を出力することにより、該再生番組の再生を実行させる再生装置制御手段とを有することを特徴とするＡＶシステムコントロール装置。
【発明の効果】
【００１３】
本発明のＡＶシステム制御方法及びＡＶシステムコントロール装置は、番組の記録を行なう際に前記番組の識別情報と記録を実行した情報記録再生装置の識別情報とを関連付けて関連情報として前記ＡＶシステムコントロール装置に蓄積するようにしたので、番組の記録を行なう際に、記録した番組をどの情報記録再生装置に記録したかを覚えておく必要はない。
【００１４】
また、番組を視聴する際にも、メディアリストから番組を選択するだけでよく、各情報記録再生装置になにが入っているかを検索する必要も、番組の頭だしに苦労することもない。さらに、記録された番組はメディアリストに登録され、一覧として表示されるので、これを見ることによって、記録した個々の番組を見忘れることがなくなるという効果がある。
【発明を実施するための最良の形態】
【００１５】
以下、本発明のＡＶシステム制御方法、ＡＶシステムコントロール装置の一実施例について図面と共に説明する。ここでは、説明を簡単にするために、モニタをＴＶ（テレビ）とする。
【００１６】
本発明のＡＶシステム制御方法は、図１（Ａ）、（Ｂ）に示すような形態で接続される。同図（Ａ）は、ＡＶシステムコントロール装置１に対して、モニタ２及び情報記録再生装置３ａ〜３ｎを接続した例であり、同図（Ｂ）は、各装置１，２，３ａ〜３ｎをホームバスや家庭内ＬＡＮ（ローカル・エリア・ネットワーク）等により接続した例である。そして、いずれの場合でも、ＡＶシステムコントロール装置１により、情報記録再生装置３ａ〜３ｎの電源のオン・オフや録画開始・終了等の操作を行うことができるように接続されている。また、モニタ２に対しても、電源のオン・オフや入力の切り換え等の操作を行うことができるように接続されている。そして、モニタ２及び情報記録再生装置３ａ〜３ｎは、ＡＶシステムコントロール装置１によって操作されるために、制御信号の送受信を行う制御信号送受信手段（図示せず）を備えている。
【００１７】
この情報記録再生装置（以下、ＡＶ装置ともいう）３，３ａ〜３ｎの概略構成図を図７に示し、以下に説明する。
ＡＶ装置３は、記録再生手段３１と状態検出手段３２と制御手段３３とチューナ３４とで構成されている。そして、記録再生手段３１は、磁気テープや磁気ディスク等の記録媒体に対してチューナ３４で受信した番組の内容を記録して再生する手段であり、状態検出手段３２は、この記録再生手段３１の動作等の状態を検出する手段である。また、制御手段３３は、記録再生手段３１による記録・再生等の動作を制御する手段である。
【００１８】
このような構成のＡＶ装置３において、ＡＶシステムコントロール装置１から状態の報告メッセージを受け取ると、状態検出手段３２により記録再生手段３１の状態が検出される。ここで、記録再生手段３１の状態とは、現在磁気テープなどの記録媒体が装填されていて記録可能状態にあることや、記録・再生・停止等の動作状態、記録媒体の記録可能な残り時間等を示すものである。そして、状態検出手段３２により検出された状態信号は、ＡＶシステムコントロール装置１に出力される。
【００１９】
また、ＡＶシステムコントロール装置１から記録開始・終了や再生開始・停止等の制御メッセージを受け取った場合には、制御手段３３により、記録再生手段３１の動作を制御して、その結果をＡＶシステムコントロール装置１に通知する。
そして、ＡＶシステムコントロール装置１の主要部分の構成を中心に示すと、図２のようになる。
【００２０】
同図に示すように、ＡＶシステムコントロール装置１は、番組予約部１１ａ，番組予約リスト１１ｂ，タイマ１１ｃからなる番組予約手段１１と、ＡＶ装置制御部１２ａ，ＡＶ装置リスト１２ｂからなるＡＶ装置制御手段１２と、メディア選択部１３ａ，メディアリスト１３ｂからなるメディア選択手段１３と、表示部１４ａを有する表示手段１４とで構成されている。
【００２１】
そして、番組予約手段１１の番組予約リスト１１ｂは、録画予約を行なうのに必要なデータを蓄積しており、番組予約装置１１ａによってこの番組予約リスト１１ｂにデータが登録・更新・削除される。また、タイマ１１ｃは、現在の時刻を計数することができ、番組予約リスト１１ｂのデータを参照して、予約の開始・終了時刻になったときにＡＶ装置制御部１２ａに録画開始・終了メッセージを出力する。
【００２２】
ＡＶ装置制御手段１２のＡＶ装置リスト１２ｂは、現在接続されているＡＶ装置３のデータを蓄積しており、ＡＶ装置３から現在の状態が書き込まれる。ＡＶ装置制御部１２ａは、タイマ１１ｃから録画開始・終了メッセージを受けとり、ＡＶ装置リスト１２ｂを参照して操作に適当なＡＶ装置３を選択する。そして、ＡＶ装置３に録画開始・停止などの制御メッセージを出力すると共に、録画終了後には、メディアリスト１３ｂに番組のデータを登録する。また、メディア選択部１３ａからは再生開始・終了メッセージを受けとり、番組が録画されているＡＶ装置３を選択して再生開始・停止などの制御メッセージを出力する。
【００２３】
メディア選択手段１３のメディアリスト１３ｂには、現在視聴可能なメディアのリストが登録されている。そして、メディア選択部１３ａは、ユーザ４から視聴したいメディア（番組）の情報を受け、メディアリスト１３ｂに登録されている番組のデータを参照してＡＶ装置制御部１２ａに再生開始・終了メッセージを出力する。また、ユーザ４からの操作によりメディアリスト１３ｂに登録されている番組のデータを削除することもできる。
【００２４】
表示手段１４の表示部１４ａには、番組予約リスト１１ｂ及びメディアリスト１３ｂのデータを表示することができる。
このような構成のＡＶシステムコントロール装置１を用いた番組予約録画・再生の方法について、以下、詳細に説明する。
【００２５】
＜番組予約＞
ユーザ４はＡＶシステムコントロール装置１に対して、従来、ＡＶ情報記録再生装置３で行っていた方法と同様の方法で番組録画の予約を行なう。すなわち、ユーザが番組録画の予約を行なう際には、番組のチャンネル、放映日（曜日）、録画開始・終了時刻、記録モードなど、番組に関するデータを入力したり、番組表を見ながらＧコードと呼ばれる数字を入力して番組に関するデータに変換したりして、番組録画の予約を行なう。
【００２６】
そして、この番組録画の予約は、番組予約手段１１の番組予約部１１ａを操作することにより行われ、番組に関するデータは、番組予約リスト１１ｂに登録される。また、番組予約リスト１１ｂに登録される番組に関するデータ（以下、番組データとも言う）は、個々の番組に設けられる番組ＩＤに対して、チャンネル、放映日、開始時刻、終了時刻、番組カテゴリ（必要に応じて）等が登録される。
【００２７】
なお、番組ＩＤは処理の利便性をはかるために設けられた番号である。番組ＩＤは番組データに対して1対1対応であり、すべての異なる２つの番組データにおいて、番組ＩＤが同じ値をとることはない。また、番組カテゴリとは、ニュース、ドラマ、スポーツといった番組の種類のことであり、番組録画予約時にユーザ４によって登録される。
【００２８】
番組予約リスト１１ｂには、複数の番組データを登録することができ、番組予約部１１ａには、この番組予約リスト１１ｂに対して、個々の番組データを登録・更新・削除する機能があり、ユーザ４は、表示部１４ａにより番組予約リスト１１ｂの内容を確認しながら、これらの機能の操作を行なう。以下、図３に示すフローチャートを参照しながら各機能毎に説明する。
【００２９】
［番組データ登録ターム］
ユーザ４が番組録画の予約を行う場合は（ステップ１０１→yes）、番組データ登録タームとなり、番組予約部１１ａは番組データの入力をユーザ４に要求する。ユーザ４がチャンネル、放映日、開始時間、終了時間、番組カテゴリ等の番組データを入力すると（ステップ１０２）、番組予約部１１ａは他の番組データ及び後述のメディアデータと重ならないように番組ＩＤを設定して、入力された番組データを番組予約リスト１１ｂに登録する（ステップ１０３）。
【００３０】
［番組データ更新ターム］
ユーザ４が番組データの更新を選択した場合は（ステップ１０４→yes）、表示部１４ａに番組予約リスト１１ｂを表示し、更新する番組データをユーザ４に選択させる（ステップ１０５）。
ユーザ４が更新する番組データを選択すると（ステップ１０６）、番組予約部１１ａはユーザ４が選択したデータに対する更新データの入力をユーザに要求する。ユーザ４が更新データの入力を終了すると（ステップ１０７）、番組予約部１１ａは番組予約リスト１１ｂに登録されていた前の番組データに替えてその更新データを登録する（ステップ１０８）。
【００３１】
［番組データ削除ターム］
ユーザ４が番組データの削除を選択した場合は（ステップ１０９→yes）、表示部１４ａに番組予約リスト１１ｂを表示し、削除する番組データをユーザ４に選択させる（ステップ１１０）。
ユーザ４が削除する番組データを選択すると（ステップ１１１）、番組予約部１１ａは選択された番組データを番組予約リスト１１ｂから削除する（ステップ１１２）。
【００３２】
以上が番組データの登録・更新・削除を行う際の手順であるが、番組予約部１１ａにより、あらかじめ、番組予約リスト１１ａを表示部１４ａに表示してから、番組データの登録・更新・削除をユーザ４に選択させるようにしても良い。この場合、ユーザ４が番組予約リスト１１ａ上の番組データを選択したときには、この番組を更新するのか削除するのかを選択させ、更新・削除に関する処理に移行しても良い。
【００３３】
＜予約録画＞
予約された番組の録画（以下、予約録画ともいう）は、ＡＶ装置制御部１２ａがタイマ１１ｃからのメッセージを受け、ＡＶ装置リスト１２ｂを参照しながら行なわれる。ＡＶ装置リスト１２ｂに登録されているＡＶ装置データは、接続されているＶＴＲ装置等のＡＶ情報記録再生装置３に対して1対1対応で付けられた装置ＩＤと、ＡＶ情報記録再生装置３の状態を示すStateとから成っている。そして、装置ＩＤはすべての異なる２つのＡＶ情報記録再生装置３において同じ値をとることはない。また、StateはＡＶ装置制御部１２ａから状態の問い合わせがあったときに、ＡＶ情報記録再生装置３から送られてくる状態信号によって変化する値である。
【００３４】
［録画開始ターム］
タイマ１１ｃは、常時、時間を計数して番組予約リスト１１ｂに登録されている番組データの開始時刻及び終了時刻と照合している。そして、図４のフローチャートに示すように、ある番組データの開始時刻になったときには(ステップ１１３→yes)、タイマ１１ｃはＡＶ装置制御部１２ａに番組データを付加した録画開始メッセージを送信する(ステップ１１４)。
【００３５】
図５のフローチャートに示すように、録画開始メッセージを受けたＡＶ装置制御部１２ａは(ステップ１２１)、まず、現在録画可能であるＡＶ装置３を探すために、すべてのＡＶ装置３に対して、現在の状態を報告するようにメッセージを出力する(ステップ１２２)。メッセージを受け取ったＡＶ装置３は、自分の現在の状態をＡＶ装置リスト１２ｂに蓄積されているＡＶ装置データの該当する自分のデータのStateに記録する。なお、ここでは、あたかもＡＶ装置３が直接データを書き込んでいるように記しているが、ＡＶシステムコントロール装置１側に各ＡＶ装置３の状態を受けて、ＡＶ装置リスト１２ｂに書き込むための書き込み手段を設けても良い。この場合、ＡＶ装置３は自分の状態を報告する能力は必要はあるが、ＡＶ装置リスト１２ｂに書き込む能力は必要としない。また、ＡＶ装置３から送信されてくる状態信号は、現在磁気テープなどの記録媒体が装填されていて記録可能状態にあることや、記録・再生・停止等の現在の動作状態を示すだけでなく、記録媒体のカウンタ位置や記録可能な残り時間等を含めた信号である。
【００３６】
全てのＡＶ装置３の状態が書き込まれるか、ある程度の時間が経過した後、ＡＶ装置制御部１２ａは、ＡＶ装置リスト１２ｂを参照して、現在録画可能なＡＶ装置３を選択する(ステップ１２３)。ここで、選択すべきＡＶ装置３がない場合は処理は中断される。
【００３７】
そして、ＡＶ装置制御部１２ａは選択したＡＶ装置３に対して、録画開始信号を出力する(ステップ１２４)。録画開始信号を受けたＡＶ装置３は録画を開始し、開始した時のカウンタ（以後開始カウンタと呼ぶ）をＡＶ装置制御部１２ａに通知する(ステップ１２５)。
このときＡＶ装置制御部１２ａは、番組データに録画を行なうＡＶ装置３の装置ＩＤと開始カウンタとを付加したデータを録画が終了されるまで保持しておく(ステップ１２６)。
【００３８】
また、以上の手順に相当の時間がかかる場合は、タイマ１１ｃは、まず開始時刻より前にＡＶ装置制御部１２ａに録画開始メッセージを送信し、ＡＶ装置制御部１２ａは、ＡＶ装置３に録画開始信号を出力するまでの処理を開始時刻前に終了させておき、開始時刻にタイマ１１ｃが録画開始時刻のメッセージを出力して、ＡＶ装置制御部１２ａがＡＶ装置３に対し録画開始信号を出力するという処理手順で行っても良い。
【００３９】
[録画終了ターム]
録画中の番組データの終了時刻が来たときには（ステップ１１５→yes）、タイマ１１ｃは、番組データの番組ＩＤが付加されている録画終了メッセージをＡＶ装置制御部１２ａに出力する（ステップ１１６）（図４参照）。
ＡＶ装置制御部１２ａは録画終了メッセージを受け取ると（ステップ１３１→yes）、録画開始タームの時に保持したデータと照合し、録画終了メッセージに該当する番組データ及び録画を行なっているＡＶ装置３の装置ＩＤを取得する（ステップ１３２）。そして、ＡＶ装置制御部１２ａは装置ＩＤの示すＡＶ装置３に対して録画停止信号を送信する（ステップ１３３）。
【００４０】
録画停止信号を受けたＡＶ装置３は現在行っている番組の録画を停止する。そして、録画終了が正常に終了したかどうかを、ＡＶ装置制御部１２ａに通知すると共に、正常に終了した場合には、終了した時点のカウンタ（以後、終了カウンタという）をＡＶ装置制御部１２ａに通知する。
【００４１】
ＡＶ装置制御部１２ａはＡＶ装置３から番組録画が正常に終了したという通知をうけると（ステップ１３４→yes）、番組データに番組録画を行なったＡＶ装置３の装置ＩＤと開始カウンタを付加したデータにＡＶ装置３から通知された終了カウンタ（ステップ１３５）を付加したものを、メディアリスト１３ｂに登録する（ステップ１３６）（なお、このメディアリスト１３ｂの詳細については後述する）。
また、ＡＶ装置制御部１２ａがＡＶ装置３から番組録画の異常終了の通知を受けた場合は（ステップ１３４→no）、その場で処理を終了する。そして、この録画開始・終了タームにおいて録画が正常に行われなかった場合は、その旨を表示部１４ａに表示してユーザ４に伝える。
【００４２】
＜メディア観賞＞
予約録画により録画された番組(以降、メディアともいう)に関するデータは、上述したように番組データに装置ＩＤ，開始カウンタ，終了カウンタを付加したもの(これを以降、メディアデータという)であり、メディアリスト１３ｂはこのメディアデータの集合として解釈される。また、ユーザ４はメディアリスト１３ｂに登録されているメディアデータを表示部１４ａに表示して見ることが可能である。なお、表示部１４ａに表示するメディアデータは、番組カテゴリを参照してカテゴリ別に色分けするなど、ユーザ４が見やすい表示を行う。
【００４３】
メディア選択部１３ａは、メディアリスト１３ｂに登録されているメディア(メディアデータ)を参照して再生もしくは削除することができる。ユーザ４は、このメディア選択部１３ａに対して操作を行う。
以降、図５に示すＡＶ装置制御部１２ａ及び図６に示すメディア選択部１３ａのフローチャートを参照しながら各タームについて説明する。
【００４４】
[メディア観賞ターム]
ユーザ４がメディア選択部１３ａを操作してメディア観賞を選択した場合(ステップ１６１→yes)、メディア選択部１３ａは観賞するメディアをメディアリスト１３ｂの中から選択させる(ステップ１６２)。そして、メディア選択部１３ａは、再生を行なうメディアデータを付加した再生開始メッセージをＡＶ装置制御部１２ａに出力する(ステップ１６３)。
【００４５】
ＡＶ装置制御部１２ａは再生開始メッセージを受信したら(ステップ１４１→yes)、メディアデータの装置ＩＤの示すＡＶ装置３に現在の状態を通知するようメッセージを送信する(ステップ１４２，１４３)。通知を受けたＡＶ装置３はＡＶ装置リスト１２ｂに現在の状態を書き込む。その後、ＡＶ装置制御部１２ａはＡＶ装置リスト１２ｂを参照して、ＡＶ装置３の状態を確認する。そして、該当するＡＶ装置３が再生不可能な場合は(ステップ１４４→no)、そのことをユーザ４に通知し、処理を終了する。
【００４６】
また、再生可能な場合は(ステップ１４４→yes)、該当するＡＶ装置３に開始カウンタの部分から終了カウンタの部分までの間を再生する様メッセージを出力する(ステップ１４５)。同時にＡＶ装置制御部１２ａはモニタ２の画像・音声入力を該当するＡＶ装置３に切り替える様、指示するメッセージを出力する。そして、メッセージを受けたＡＶ装置３は開始カウンタの部分をシークして再生を開始し、終了カウンタの部分で再生を終了する。
【００４７】
[メディア観賞の中断]
メディア観賞中にユーザ４がメディア観賞を中断したい場合には、メディア選択部１３ａを操作することにより、メディアの再生を中断することができる。
メディア選択部１３ａは、ユーザ４からメディア観賞の中断の指令を受けたときには(ステップ１６４→yes)、観賞中のメディアデータを付加した再生終了メッセージをＡＶ装置制御部１２ａに出力する(ステップ１６５)。
【００４８】
ＡＶ装置制御部１２ａは再生終了メッセージを受け取ると(ステップ１５１→yes)、メディアデータに含まれる装置ＩＤの示すＡＶ装置３に停止信号を送信する(ステップ１５２)。そして、停止信号を受信したＡＶ装置３は再生を中止して停止状態にし、処理を終了する。
この時、ＡＶ装置３から停止した（中断した）時点のカウンタをＡＶ装置制御部１２ａに通知し(ステップ１５３)、メディアリスト１３ｂのメディアデータに付加して保存しておけば、次に見る時に中断したところから見ることができ、より操作性が向上する。
【００４９】
［メディアデータ削除ターム］
また、ユーザ４は観賞済みのメディア等のメディアデータを削除することができる。
メディア選択部１３ａはユーザ４がメディアデータ削除の操作を行なった場合に(ステップ１６６→yes)、ユーザ４に削除するメディアのメディアデータを選択させ(ステップ１６７)、選択されたメディアデータをメディアリスト１３ｂから削除する(ステップ１６８)。
なお、削除に関する処理は、あらかじめ表示部１４ａに表示したメディアリスト１３ｂ上で、ユーザ４がメディアデータを選択した後、メディアデータの削除を選択して、処理を行うようにしてもよい。
【図面の簡単な説明】
【００５０】
【図１】本発明のＡＶシステム制御方法の一実施例を説明するための構成図である。
【図２】本発明のＡＶシステムコントロール装置の一実施例を示す構成図である。
【図３】番組予約部の動作を示すフローチャート図である。
【図４】タイマの動作を示すフローチャート図である。
【図５】ＡＶ装置制御部の動作を示すフローチャート図である。
【図６】メディア選択部の動作を示すフローチャート図である。
【図７】本発明の情報記録再生装置の一実施例を示す概略構成図である。
【符号の説明】
【００５１】
１  ＡＶシステムコントロール装置
２  モニタ
３，３ａ〜３ｎ  ＡＶ装置（情報記録再生装置）
４  ユーザ
１１  番組予約手段
１１ａ  番組予約部
１１ｂ  番組予約リスト
１１ｃ  タイマ
１２  ＡＶ装置制御手段
１２ａ  ＡＶ装置制御部
１２ｂ  ＡＶ装置リスト
１３  メディア選択手段
１３ａ  メディア選択部
１３ｂ  メディアリスト
１４  表示手段
１４ａ  表示部
３１  記録再生手段
３２  状態検出手段
３３  制御手段
３４  チューナ
【図１】
2005004958.tif 000003
【図２】
2005004958.tif 000004
【図３】
2005004958.tif 000005
【図４】
2005004958.tif 000006
【図５】
2005004958.tif 000007
【図６】
2005004958.tif 000008
【図７】
2005004958.tif 000009